(57)【要約】【課題】人工肛門の傍らに装着されている便収納用のパウチがストーマからの排出ガスで大きく膨らむのを確実に防止する。【解決手段】人体下腹部に開設された人工肛門のストーマに接続されて人工肛門の傍らに装着されている便収納用のパウチＰの上から覆い被さるようにしてパウチＰに当てがわれるシート状用具本体１と、このシート状用具本体１の上端側が取り付けられていて、下腹部に巻き回して着けることによりシート状用具本体１をパウチ装着位置に垂れ下げるベルト体２と、このベルト体２で垂れ下げられてパウチＰに当てがわれているシート状用具本体１の下端側を捲れないように引き止める用具本体引き止め手段３と、を備えている人工肛門用のパウチ膨張予防具。【選択図】図３
0003107444.tif 000002
【実用新案登録請求の範囲】
【請求項１】
人体下腹部に開設された人工肛門のストーマに接続されて人工肛門の傍らに装着されている便収納用のパウチの上から覆い被さるようにしてパウチに当てがわれるシート状用具本体と、このシート状用具本体の上端側が取り付けられていて、下腹部に巻き回して着けることにより前記シート状用具本体をパウチ装着位置に垂れ下げるベルト体と、このベルト体で垂れ下げられて前記パウチに当てがわれているシート状用具本体の下端側を捲れないように引き止める用具本体引き止め手段と、を備えている人工肛門用のパウチ膨張予防具。
【請求項２】
前記用具本体引き止め手段が、前記シート状用具本体の右下端側に片端部が取着されていて、更に右上方へ向かって延びて前記シート状用具本体の右側方の位置で他端部が前記ベルト体に取着されている右用帯または右用紐と、前記シート状用具本体の左下端側に片端部が取着されていて、更に左上方へ向かって延びて前記シート状用具本体の左側方の位置で、他端部が前記ベルト体に取着されている左用帯または左用紐とからなる請求項１に記載の人工肛門用のパウチ膨張予防具。
【請求項３】
前記右用帯または右用紐、および、左用帯または左用紐が、前記ベルト体には着脱不能に取着されており、前記シート状用具本体には面ファスナーで着脱自在に取着されている請求項２に記載の人工肛門用のパウチ膨張予防具。
【請求項４】
前記シート状用具本体が天然繊維製である請求項１〜３のいずれかに記載の人工肛門用のパウチ膨張予防具。
【請求項５】
前記シート状用具本体が弾力性を有する請求項１〜４のいずれかに記載の人工肛門用のパウチ膨張予防具。
【考案の詳細な説明】
【技術分野】
【０００１】
本考案は人工肛門用のパウチ膨張予防具に関し、詳しくは、直腸癌手術などにより使えなくなった自然肛門の代わりとして人体下腹部に開設された人工肛門のストーマに接続されて人工肛門の傍らに装着されている便収納用のパウチがガスで膨張するのを防ぐのに用いる人工肛門用のパウチ膨張予防具に関する。
【背景技術】
【０００２】
直腸癌手術などで自然肛門が使えなくなった場合、その代わりとして、図５に示すように、人工肛門Ｓが人体下腹部に開設される。人工肛門を開設した場合、排便が生活の支障となるのを避ける為に、普通、人工肛門のストーマ（大便排出孔）に便収納用のパウチを接続して人工肛門の傍らに装着しておき、人工肛門から排出される便を便収納用のプラスチック製パウチで溜めておき、パウチに溜まった便を適宜纏めて捨てる、いわゆる自然排便法が実行されている。
【考案の開示】
【考案が解決しようとする課題】
【０００３】
しかしながら、上記従来技術は、自然排便法実行中に、便収納用のパウチが往々にして膨らんでしまうという問題がある。すなわち、図６（ａ）に示すように、自然排便法の実行者Ｍは下腹部にパウチＰを装着して支障なく生活できるものの、パウチＰには便だけでなく腸内のガスもストーマからパウチへ排出されるため、この腸内からの排出ガスの量が多いと、図６（ｂ）に示すように、パウチＰが膨張する。
【０００４】
大きく膨らんだパウチＰは、実行者Ｍが動き回るのを妨げるうえに、衣服をも膨らませて外観を損なうという、パウチ装着に伴う不快感も増す。しかし、実行者Ｍ自身がガスの生成・排出をコントロールするのは事実上無理であり、パウチＰの膨張は不可避的に不用意に生じる。したがって、自然排便法の実行者Ｍにとって、問題は決して小さくはない。
【０００５】
そこで、本考案は上記実情に鑑みてなされたものであり、人工肛門のストーマに接続されて人工肛門の傍らに装着されている便収納用のパウチがストーマからの排出ガスで大きく膨らむのを効果的に防止可能な人工肛門用のパウチ膨張予防具を提供することを課題とする。
【課題を解決するための手段】
【０００６】
上記課題は、請求項記載の考案により達成される。すなわち、本考案に係る人工肛門用のパウチ膨張予防具の特徴構成は、人体下腹部に開設された人工肛門のストーマに接続されて人工肛門の傍らに装着されている便収納用のパウチの上から覆い被さるようにしてパウチに当てがわれるシート状用具本体と、このシート状用具本体の上端側が取り付けられていて、下腹部に巻き回して着けることにより前記シート状用具本体をパウチ装着位置に垂れ下げるベルト体と、このベルト体で垂れ下げられて前記パウチに当てがわれているシート状用具本体の下端側を捲れないように引き止める用具本体引き止め手段と、を備えていることにある。
【０００７】
この人工肛門用のパウチ膨張予防具（以下、適宜「パウチ膨張予防具」と略記）を、人工肛門の傍らに便収納用のパウチを装着している自然排便法の実行者が使用する場合、シート状用具本体がパウチの装着位置で垂れ下げられるように位置合わせをしながらシート状用具本体の上端側が取り付けられているベルト体を下腹部に巻き回して着けるだけである。それ以外は、特に必要となる操作は、事実上ない。
【０００８】
自然排便法の実行者がパウチ膨張予防具のベルト体を着けると、シート状用具本体が便収納用のパウチの上から覆い被さるようにしてパウチに当てがわれた状態となるのに加え、シート状用具本体の上端側は取り付けられているベルト体で固定されていると同時に、シート状用具本体の下端側は用具本体引き止め手段で引き止められて捲れないので、便収納用のパウチは常に全体がシート状用具本体で上から押さえられた状態となる。このように、本考案のパウチ膨張予防具の使用中は、パウチ全体がシート状用具本体で上から押さえられた状態が保たれるので、実行者の腸内のガスが人工肛門のストーマからパウチの側へ排出しようとしても簡単に排出することができなくなり、ガスは腸の側に押し留められる結果、ストーマから多量の排出ガスがパウチに流れ込むのを阻止できる。
【０００９】
すなわち、本考案のパウチ膨張予防具の場合、自然排便法の実行者が、パウチの装着位置でシート状用具本体を垂れ下げるように位置合わせをしながら、シート状用具本体の上端側が取り付けられているベルト体を下腹部に巻き回して着けると、シート状用具本体が便収納用のパウチの上から覆い被さるようにしてパウチに当てがわれた状態となるのに加え、シート状用具本体の上端側は取り付けられているベルト体で固定されていると同時に、シート状用具本体の下端側も用具本体引き止め手段で引き止められて捲れないので、本考案のパウチ膨張予防具の使用中は、便収納用のパウチ全体がシート状用具本体で上から押さえられた状態が保たれる。その結果、実行者の腸内のガスが人工肛門のストーマからパウチの側へ出難くなり、ガスは腸の側に押し留められる結果、ストーマから多量の排出ガスがパウチに流れ込むのを防止できる。
【００１０】
よって、本考案の人工肛門用のパウチ膨張予防具によれば、人工肛門のストーマに接続されて人工肛門の傍らに装着されている便収納用のパウチがストーマからの排出ガスにより、大きく膨らむのを確実に防止することができる。
【００１１】
本考案の好ましい実施形態として、前記用具本体引き止め手段が、前記シート状用具本体の右下端側に片端部が取着されていて、更に右上方へ向かって延びて前記シート状用具本体の右側方の位置で他端部が前記ベルト体に取着されている右用帯または右用紐と、前記シート状用具本体の左下端側に片端部が取着されていて、更に左上方へ向かって延びて前記シート状用具本体の左側方の位置で、他端部が前記ベルト体に取着されている左用帯または左用紐とからななる形態が挙げられる。
【００１２】
この実施形態によれば、シート状用具本体とベルト体の間に取着されている右用帯または右用紐および左用帯または左用紐によってシート状用具本体の下端側が捲れないように引き止められる。加えて、この実施形態によれば、右用帯または右用紐および左用帯または左用紐の片端部と他端部をシート状用具本体とベルト体に取着するだけで、用具本体引き止め手段を容易に配備できる。
【００１３】
また、本考案の好ましい実施形態として、前記右用帯または右用紐、および、左用帯または左用紐が、前記ベルト体には着脱不能に取着されており、前記シート状用具本体には面ファスナーで着脱自在に取着されている形態が挙げられる。
【００１４】
この実施形態によれば、右用帯または右用紐、および、左用帯または左用紐が、ベルト体には着脱不能に取着されているので、右用帯または右用紐、および、左用帯または左用紐が外れ落ちて紛失する恐れはない。加えて右用帯または右用紐、および、左用帯または左用紐が、シート状用具本体には面ファスナーで着脱自在に取着されているので、右用帯または右用紐や、左用帯または左用紐のシート状用具本体への取着状態が適当でない場合、右用帯または右用紐、および、左用帯または左用紐を、シート状用具本体から引き剥がすことにより一旦外してから再び押し付け合わせて再度結合させることにより、適切な取着状態に直すことができる。
【００１５】
また、本考案の他の好ましい実施形態として、前記シート状用具本体が天然繊維製である形態が挙げられる。
【００１６】
この実施形態によれば、シート状用具本体が天然繊維製であるので、シート状用具本体を身に着けた時に、むれたり、或いは、かぶれたりし難い。
【００１７】
また、本考案の他の好ましい実施形態として、前記シート状用具本体が弾力性を有する形態が挙げられる。
【００１８】
この実施形態によれば、弾力性を有するシート状用具本体はある程度パウチの膨張を許容するので、パウチの過度の押さえつけを回避できる。
【考案を実施するための最良の形態】
【００１９】
本考案の実施の形態を、図面を参照して詳しく説明する。図１は実施形態に係る人工肛門用のパウチ膨張予防具を表面側から見た状態で示す平面図、図２は実施形態のパウチ膨張予防具を裏面側から見た状態で示す平面図、図３は実施形態のパウチ膨張予防具の使用中の状態を示す模式図である。
【００２０】
図１、図２のパウチ膨張予防具は、図３、図６（ａ）に示すように、人体下腹部に開設された人工肛門Ｓのストーマに接続されて、人工肛門Ｓの傍らに装着されている便収納用のパウチＰの上から覆い被さるようにして、パウチＰに当てがわれるシート状用具本体１と、このシート状用具本体１の上端側が取り付けられて、下腹部に巻き回して装着することによりシート状用具本体１をパウチ装着位置に垂れ下げるベルト体２と、このベルト体２で垂れ下げられてパウチＰに当てがわれているシート状用具本体１の下端側を捲れないように引き止める用具本体引き止め部３と、を備える。
【００２１】
シート状用具本体１の上端側は、例えば丈夫な糸でシート状用具本体１の上端側をベルト体２の中間に縫い付けることによって、ベルト体２に縫着されている。シート状用具本体１の大きさは、パウチＰよりやや大きめとされ、例えば縦１２ｃｍ程度、横１４ｃｍ程度とされる。
【００２２】
また、シート状用具本体１を構成する原材料については限定されず、各種天然繊維、合成繊維、これらの混合物などを使用できるが、特に、木綿、麻、絹などの天然繊維の糸で粗く編み上げた編物が用いられることが好ましい。シート状用具本体１が天然繊維製である場合、シート状用具本体１を身体に装着した時に、むれたり、或いは、かぶれたりし難い。加えて、シート状用具本体１が編み目の粗い編物である場合、シート状用具本体１自体に適当な通気性と弾力性が備わる。
【００２３】
一方、ベルト体２は、自然排便法の実行者Ｍの胴に巻き回せる長さと、安定した止め着けができる幅とされ、例えば長さ１ｍ強程度、幅３ｃｍ前後とされる。また、ベルト体２は、木綿や麻や絹などの天然繊維の糸で細かく織った非弾力性の細帯が用いられている。天然繊維製のベルト体２の場合、ベルト体２を身体に装着した時に、むれたり、或いは、かぶれたりし難いので好ましい。
【００２４】
ベルト体２の右端側表面には面ファスナー（いわゆるマジックテープ（登録商標））２ａが取り付けられており、ベルト体２の左端側裏面には相手方の面ファスナー２ｂが取り付けられていて、ベルト体２を実行者Ｍの胴に巻き回して、面ファスナー２ａと面ファスナー２ｂを押し付け合わせて面ファスナー２ａ，２ｂ同士を結合することにより、ほとんどワンタッチ式でベルト体２を着けられる構成とされている。
【００２５】
他方、用具本体引き止め部３は、シート状用具本体１の右下端側に片端部が取着されていて、更に右上方へ向かって延びてシート状用具本体１の右側方の位置で他端部がベルト体２に取着されている非弾力性の右用帯３Ａと、シート状用具本体１の左下端側に片端部が取着されていて、更に左上方へ向かって延びてシート状用具本体１の左側方の位置で他端部がベルト体２に取着されている非弾力性の左用帯３Ｂとからなる。シート状用具本体１とベルト体２の間に取着されている右用帯３Ａおよび左用帯３Ｂは、シート状用具本体１の下端側が捲れないように引き止める機能を発揮する。右用帯３Ａと左用帯３Ｂからなる用具本体引き止め部３の場合、右用帯３Ａと左用帯３Ｂの片端部と他端部をシート状用具本体１とベルト体２に取着するだけで、用具本体引き止め部３を容易に配備できる。
【００２６】
加えて、用具本体引き止め部３の場合、右用帯３Ａおよび左用帯３Ｂはベルト体２に糸で縫い付ける等することにより、着脱不能に取着されている。したがって、右用帯３Ａおよび左用帯３Ｂが外れ落ちて紛失する恐れはない。
【００２７】
逆に、シート状用具本体１には右用帯３Ａと左用帯３Ｂがそれぞれ着脱可能に取着されている。すなわち、右用帯３Ａの片端部表面には面ファスナー３ａが取り付けられており、シート状用具本体１の右下端側裏面には面ファスナー１ａが取り付けられていて、図４に示すように、面ファスナー３ａを面ファスナー１ａから引き剥がすことにより、右用帯３Ａの片端部がシート状用具本体１から外れる構成とされている。さらに、左用帯３Ｂの片端部表面には面ファスナー３ｂが取り付けられており、シート状用具本体１の左下端側裏には面ファスナー１ｂが取り付けられていて、図４に示すように、面ファスナー３ｂを面ファスナー１ｂから引き剥がすことで左用帯３Ｂの片端部がシート状用具本体１から外れる構成とされている。
【００２８】
したがって、シート状用具本体１に対する右用帯３Ａや左用帯３Ｂの取着状態が適当でない場合、右用帯３Ａや左用帯３Ｂをシート状用具本体１から引き剥がすことにより一旦外してから、再び押し付け合わせて再度結合させることにより、適切な取着状態に直すことができる。
【００２９】
続いて、以上に述べた構成を有する本実施形態のパウチ膨張予防具の使用方法を説明する。
【００３０】
人工肛門の傍らに便収納用のパウチＰを装着している自然排便法の実行者Ｍが、本実施形態のパウチ膨張予防具を使用する場合、図３に示すように、シート状用具本体１がパウチＰの装着位置で垂れ下げられるように位置合わせをしながらベルト体２を下腹部に巻き回して面ファスナー２ａと面ファスナー２ｂを押し付け合わせて面ファスナー２ａ，２ｂ同士を結合して着ける。それ以外は、特に必要となる操作は、事実上ない。
【００３１】
実行者Ｍがパウチ膨張予防具のベルト体２を着けると、シート状用具本体１が便収納用のパウチＰの上から覆い被さるようにして、パウチＰに当てがわれた状態となるのに加え、シート状用具本体１の上端側は取り付けられているベルト体２で固定されていると同時に、シート状用具本体１の下端側は用具本体引き止め部３で引き止められて捲れないので、便収納用のパウチＰは、常に全体がシート状用具本体１で上から押さえられた状態となる。その結果、このパウチ膨張予防具の使用中は、パウチＰ全体がシート状用具本体１で上からある程度押さえられた状態が保たれるので、実行者Ｍの腸内のガスが人工肛門ＳのストーマからパウチＰの側へ出難くなり、ガスは腸の側に押し留められ、ストーマから多量の排出ガスがパウチＰに流れ込むのを阻止できる。
【００３２】
すなわち、本考案のパウチ膨張予防具の場合、自然排便法の実行者Ｍが、パウチＰの装着位置でシート状用具本体１を垂れ下げるように位置合わせをしながら、シート状用具本体１の上端側が取り付けられているベルト体２を下腹部に巻き回して装着すると、シート状用具本体１が便収納用のパウチＰの上から覆い被さるようにして、パウチＰに当てがわれた状態となる。そして、シート状用具本体１の上端側はベルト体２で固定されていると同時に、シート状用具本体１の下端側も用具本体引き止め部３で引き止められて捲れないので、このパウチ膨張予防具の使用中は、便収納用のパウチ全体がシート状用具本体１で上から押さえられた状態に保たれる。その結果、実行者Ｍの腸内のガスが人工肛門ＳのストーマからパウチＰの側へ出難くなって、ガスは腸の側に押し留められるので、ストーマから多量の排出ガスがパウチＰに流れ込むのを阻止できる。
【００３３】
よって、本実施形態のパウチ膨張予防具によれば、人工肛門Ｓのストーマに接続されて人工肛門Ｓの傍らに装着されている便収納用のパウチＰが、ストーマからの排出ガスで大きく膨らむのを効果的に防止することができる。
【００３４】
さらに、本実施形態のパウチ膨張予防具の場合、シート状用具本体１に通気性があるので、シート状用具本体１を身体に装着した時に、一層むれ難いという利点があるうえ、シート状用具本体１に弾力性があって或る程度パウチＰの膨張を許容するので、パウチ膨張予防具による過度のガス排出抑制を回避できるという利点がある。
【００３５】
なお、図３では、本考案のパウチ膨張予防具が、実行者Ｍの素肌に直接に装着されているが、本考案のパウチ膨張予防具は、これに限らず、下着の上から装着してもよいし、あるいは、上着の上から装着してもよい。
【００３６】
〔別実施の形態〕
（１）上記実施形態では、用具本体引き止め部３が右用帯３Ａと左用帯３Ｂとからなる構成であったが、用具本体引き止め部３の右用帯３Ａと左用帯３Ｂの一方または両方が紐である他は、本実施形態と同一の構成のパウチ膨張予防具が、変形実施形態として挙げられる。
（２）上記実施形態の場合、シート状用具本体１が編み目の粗い編物であったが、シート状用具本体１は編み目の粗い編物に限られるものではなく、編み目の細かな織物、あるいは編物ではなくて布などの織物、さらにはプラスチックシート等も用いることができる。
（３）上記実施形態の場合、シート状用具本体１は弾力性のものが用いられ、用具本体引き止め部３の右用帯３Ａおよび左用帯３Ｂは非弾力性のものが用いられている構成であったが、これと反対に、シート状用具本体１は非弾力性のものが用いられ、用具本体引き止め部３の右用帯３Ａおよび左用帯３Ｂは弾力性のものを用いる構成の形態でも、やはりパウチＰの膨張がある程度許容されるので、パウチ膨張予防具による過度のガス排出抑制を回避できる。
【図面の簡単な説明】
【００３７】
【図１】本考案の一実施形態に係る人工肛門用のパウチ膨張予防具を表面側から見た状態で示す平面図
【図２】図１のパウチ膨張予防具を裏面側から見た状態で示す平面図
【図３】図１のパウチ膨張予防具の使用状態を示す模式図
【図４】図１のパウチ膨張予防具において、用具本体引き止め部の右用帯および左用帯が外された状態を示す部分平面図
【図５】人体下腹部における人工肛門の開設状態を示す模式図
【図６】人体下腹部における人工肛門へのパウチの装着状況を側方から見た状態で示す図であり、（ａ）はパウチの未膨張状態を示す模式図、（ｂ）はパウチの膨張状態を示す模式図
【符号の説明】
【００３８】
１            シート状用具本体
１ａ，１ｂ    面ファスナー
２            ベルト体
３            用具本体引き止め部（用具本体引き止め手段）
３Ａ          右用帯
３Ｂ          左用帯
３ａ，３ｂ    面ファスナー
Ｐ            パウチ
Ｓ            人工肛門
【図１】
0003107444.tif 000003
【図２】
0003107444.tif 000004
【図３】
0003107444.tif 000005
【図４】
0003107444.tif 000006
【図５】
0003107444.tif 000007
【図６】
0003107444.tif 000008